(57)【要約】本明細書での開示によれば、機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムにおいてアイドルモード（ｉｄｌｅ  ｍｏｄｅ）の端末がマルチキャストトラフィック（ｍｕｌｔｉｃａｓｔ  ｔｒａｆｆｉｃ）を受信する方法が提供される。前記方法は、マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信することと；前記受信された制御情報に基づいて、アイドルモードを終了せずに、前記基地局からマルチキャストトラフィックを受信することを含み、前記ページングメッセージは、前記マルチキャストトラフィックが伝送されるＭ２Ｍグループを示す識別情報をさらに含むことができる。【選択図】図４
2013544481.tif 000002
【特許請求の範囲】
【請求項１】
機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムでアイドルモード（ｉｄｌｅ  ｍｏｄｅ）の端末がマルチキャストトラフィック（ｍｕｌｔｉｃａｓｔ  ｔｒａｆｆｉｃ）を受信する方法において、
マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信することと、
前記受信された制御情報に基づいて、アイドルモードを終了せずに、前記基地局からマルチキャストトラフィックを受信することを含み、
前記ページングメッセージは、
前記マルチキャストトラフィックが伝送されるＭ２Ｍグループを示す識別情報をさらに含むことを特徴とする、方法。
【請求項２】
前記基地局とネットワーク進入（ｎｅｔｗｏｒｋ  ｅｎｔｒｙ）過程を行うことをさらに含むことを特徴とする、請求項１に記載の方法。
【請求項３】
前記基地局と、マルチキャストトラフィックに対するサービスフロー（ｓｅｒｖｉｃｅ  ｆｌｏｗ）を追加するための動的サービス追加（ｄｙｎａｍｉｃ  ｓｅｒｖｉｃｅ  ａｄｄｉｔｉｏｎ；ＤＳＡ）過程を行うことをさらに含み、
前記動的サービス追加過程を通じて、前記追加されるマルチキャストトラフィックに該当するサービスフローに対するＭ２Ｍグループ識別子が割り当てられることを特徴とする、請求項２に記載の方法。
【請求項４】
前記動的サービス追加過程を通じて、
フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、請求項３に記載の方法。
【請求項５】
前記基地局とネットワーク進入（ｎｅｔｗｏｒｋ  ｅｎｔｒｙ）過程を行うことは、
前記基地局と能力交渉（ｃａｐａｂｉｔｉｔｙ  ｎｅｇｏｃｉａｔｉｏｎ）過程を行うことをさらに含み、
前記能力交渉過程を通じて、前記追加されるマルチキャストトラフィックに該当するサービスフローに対するＭ２Ｍグループ識別子が割り当てられることを特徴とする、請求項２に記載の方法。
【請求項６】
前記能力交渉過程を通じて、
フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、請求項５に記載の方法。
【請求項７】
前記基地局とネットワーク進入（ｎｅｔｗｏｒｋ  ｅｎｔｒｙ）過程を行うことは、
前記基地局と登録（ｒｅｇｉｓｔｒａｔｉｏｎ）過程を行うことをさらに含み、
前記登録過程を通じて、前記追加されるマルチキャストトラフィックに該当するサービスフローに対するＭ２Ｍグループ識別子が割り当てられることを特徴とする、請求項２に記載の方法。
【請求項８】
前記基地局と、マルチキャストトラフィックに対するサービスフロー（ｓｅｒｖｉｃｅ  ｆｌｏｗ）を追加するための動的サービス追加（ｄｙｎａｍｉｃ  ｓｅｒｖｉｃｅ  ａｄｄｉｔｉｏｎ；ＤＳＡ）過程を行うことをさらに含み、
前記動的サービス追加過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、請求項７に記載の方法。
【請求項９】
前記基地局と、登録解除（ｄｅ−ｒｅｇｉｓｔｒａｔｉｏｎ）過程を行うことをさらに含み、
前記登録解除過程を通じて、前記追加されるマルチキャストトラフィックに該当するサービスフローに対するＭ２Ｍグループ識別子が割り当てられることを特徴とする、請求項１に記載の方法。
【請求項１０】
前記登録解除過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、請求項９に記載の方法。
【請求項１１】
前記ページングメッセージは、前記基地局とのネットワーク再進入（ｎｅｔｗｏｒｋ  ｒｅ−ｅｎｔｒｙ）のないマルチキャストトラフィック受信を指示することを特徴とする、請求項１に記載の方法。
【請求項１２】
前記制御情報は、
動作コード（Ａｃｔｉｏｎ  Ｃｏｄｅ）フィールドであることを特徴とする、請求項１に記載の方法。
【請求項１３】
機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムのアイドルモード（ｉｄｌｅ  ｍｏｄｅ）でマルチキャスト（ｍｕｌｔｉｃａｓｔ）トラフィックを受信するための端末において、
外部と無線信号を送受信するための無線（ＲＦ）通信部と、
前記無線通信部と連結される制御部と、を含み、
前記制御部は、マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信するように前記無線通信部を制御し、アイドルモードを終了せずに、前記基地局からマルチキャストトラフィックを受信するように前記無線通信部を制御し、
前記ページングメッセージは、前記マルチキャストトラフィックが伝送されるＭ２Ｍグループを示す識別情報をさらに含むことを特徴とする、端末。
【請求項１４】
前記制御部は、
前記基地局とネットワーク進入（ｎｅｔｗｏｒｋ  ｅｎｔｒｙ）過程を行うように制御することを特徴とする、請求項１３に記載の端末。
【請求項１５】
前記制御部は、
前記基地局との動的サービス追加（ｄｙｎａｍｉｃ  ｓｅｒｖｉｃｅ  ａｄｄｉｔｉｏｎ；ＤＳＡ）過程を通じて追加されるサービスフロー（ｓｅｒｖｉｃｅ  ｆｌｏｗ）に対するＭ２Ｍグループ識別子を前記基地局から受信するように前記無線通信部を制御し、
前記追加されるサービスフローは、マルチキャストトラフィックに該当するサービスフローであることを特徴とする、請求項１３に記載の端末。
【請求項１６】
前記制御部は、
前記動的サービス追加過程を通じてフロー識別子（ｆｌｏｗ  Ｉｄｅｎｔｉｆｉｅｒ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、請求項１５に記載の端末。
【請求項１７】
前記制御部は、
前記基地局との能力交渉過程を通じてマルチキャストトラフィックに該当するサービスフローに対するＭ２Ｍグループ識別子を前記基地局から受信するように前記無線通信部を制御することを特徴とする、請求項１４に記載の端末。
【請求項１８】
前記制御部は、
前記能力交渉過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、請求項１３に記載の端末。
【請求項１９】
前記制御部は、
前記基地局との登録過程を通じてマルチキャストトラフィックに該当するサービスフローに対するＭ２Ｍグループ識別子を前記基地局から受信するように前記無線通信部を制御することを特徴とする、請求項１４に記載の端末。
【請求項２０】
前記制御部は、
前記基地局との動的サービス追加（ｄｙｎａｍｉｃ  ｓｅｒｖｉｃｅ  ａｄｄｉｔｉｏｎ；ＤＳＡ）過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、請求項１９に記載の端末。
【請求項２１】
前記制御部は、
前記基地局との登録解除（ｄｅ−ｒｅｇｉｓｔｒａｔｉｏｎ）過程を通じてマルチキャストトラフィックに該当するサービスフローに対するＭ２Ｍグループ識別子を前記基地局から受信するように前記無線通信部を制御することを特徴とする、請求項１３に記載の端末。
【請求項２２】
前記制御部は、
前記登録解除過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、請求項２１に記載の端末。
【請求項２３】
前記ページングメッセージは、前記基地局とのネットワーク再進入（ｎｅｔｗｏｒｋ  ｒｅ−ｅｎｔｒｙ）のないマルチキャストトラフィック受信を指示することを特徴とする、請求項１３に記載の端末。
【請求項２４】
前記制御情報は、
動作コード（Ａｃｔｉｏｎ  Ｃｏｄｅ）フィールドであることを特徴とする、請求項１３に記載の端末。
【発明の詳細な説明】
【技術分野】
【０００１】
本明細書は、機器間通信（Ｍ２Ｍ  Ｃｏｍｍｕｎｉｃａｔｉｏｎ、Ｍａｃｈｉｎｅ  Ｔｙｐｅ  Ｃｏｍｍｕｎｉｃａｔｉｏｎ：ＭＴＣ）を支援する無線接続システムに係り、特に、マルチキャストトラフィック（ｍｕｌｔｉｃａｓｔ  ｔｒａｆｆｉｃ）を送受信するための方法及びそのための装置に関する。
【背景技術】
【０００２】
機器間通信（Ｍ２Ｍ  Ｃｏｍｍｕｎｉｃａｔｉｏｎ、Ｍａｃｈｉｎｅ  Ｔｙｐｅ  Ｃｏｍｍｕｎｉｃａｔｉｏｎ：ＭＴＣ）
以下では、機器間通信（Ｍ２Ｍ  Ｃｏｍｍｕｎｉｃａｔｉｏｎ、Ｍａｃｈｉｎｅ  Ｔｙｐｅ  Ｃｏｍｍｕｎｉｃａｔｉｏｎ：ＭＴＣ）について簡略に説明する。
【０００３】
機器間通信とは、文字通り、電子装置と電子装置間の通信を意味する。すなわち、事物間の通信を意味する。一般に、電子装置間の有線又は無線通信や、人が制御する装置と機械間の通信を意味するが、電子装置と電子装置間、すなわち、機器間の無線通信を特別に示す意味で使われる。また、セルラーネットワークで使用されるＭ２Ｍ端末は、一般的な端末より性能や能力が劣る。
【０００４】
セル内には多くの端末が存在し、端末は、端末のタイプ（ｔｙｐｅ）、クラス（ｃｌａｓｓ）、サービスタイプ（ｓｅｒｖｉｃｅ  ｔｙｐｅ）などによって互いに区分できる。
【０００５】
一例として、端末の動作タイプによって、ＨＴＣ（Ｈｕｍａｎ  ｔｙｐｅ  ｃｏｍｍｕｎｉｃａｔｉｏｎ）のための端末とＭＴＣ（Ｍａｃｈｉｎｅ  ｔｙｐｅ  ｃｏｍｍｕｎｉｃａｔｉｏｎ）のための端末とに大別することができる。前記ＭＴＣは、Ｍ２Ｍ端末間の通信を含むことができる。ここで、ＨＴＣは、人間（Ｈｕｍａｎ）によって信号（ｓｉｇｎａｌ）の伝送（ｔｒａｎｓｍｉｓｓｉｏｎ）が決定されて信号を送受信することを意味し、ＭＴＣは、人間（ｈｕｍａｎ）による介入なしに、各端末が独自にイベントの発生によって、または周期的に信号（ｓｉｇｎａｌ）を伝送（ｔｒａｎｓｍｉｓｓｉｏｎ）することを意味する。
【０００６】
また、機器間通信（Ｍ２Ｍ  ｃｏｍｍｕｎｉｃａｔｉｏｎまたはｍａｃｈｉｎｅ  ｔｙｐｅ  ｃｏｍｍｕｎｉｃａｔｉｏｎ（ＭＴＣ））が考慮されると、全体的な端末の数は急激に増加することがある。Ｍ２Ｍ端末は支援するサービス（ｓｅｒｖｉｃｅ）によって、次のような特性を有することができる。
１．セル内の多数の端末
２．少ないデータ量
３．低い伝送頻度（周期性を有してもよい）
４．制限された数のデータ特性
５．時間遅延に敏感でない
６．低い移動度（Ｌｏｗ  ｍｏｂｉｌｉｔｙ）を有したり、または固定されている
また、機器間通信は、保護接続及び監視、追跡及び発見、公共安全（緊急事態、災難）、支払い（自販機、チケット機器、パーキングメータ）、ヘルスケア、遠隔調整、スマートメータなどのような様々な分野において使用できる。
【０００７】
ＭＴＣが有する時間制御されるトラフィックの特性（Ｃｈａｒａｃｔｅｒｉｓｔｉｃｓ  ｏｆ  ＭＴＣ  ｈａｖｉｎｇ  ｔｉｍｅ−ｃｏｎｔｒｏｌｌｅｄ  ｔｒａｆｆｉｃ）
時間制御されるＭＴＣ特性は、定義された時間区間の間でのみデータを送信または受信し、前記定義された時間区間以外の区間では不必要なシグナリングを避けるように定義されるＭＴＣアプリケーションでの使用を目的とする。ネットワークオペレータ（ｎｅｔｗｏｒｋ  ｏｐｅｒａｔｏｒ）は、トラフィック発生に対して異なるように割り当てることによって、前記ＭＴＣアプリケーションが、前記定義された時間区間以外の区間でデータの送受信またはシグナリングを許容するようにすることができる。
【０００８】
前記定義された接続区間（例えば、１０分）は、ネットワークオペレータとＭＴＣ端末（ｓｕｂｓｃｒｉｂｅｒ）との間に予め約束され、ＭＴＣ端末とＭＴＣサーバとの間において正常な通信の完了を保障する程十分に長い時間である。
【０００９】
ＭＴＣ端末は、ＭＴＣサーバとの通信が終了した時、ＭＴＣサーバと連結解除のために接続区間が終了するまで待つ必要がない。
【００１０】
図１は、時間制御されるトラフィック特性を有するＭＴＣ端末に割り当てられる定義された時間区間の一例を示す図である。
【００１１】
一般に、ＭＴＣユーザは、一つのＭＴＣ端末グループに対して予め定義された時間周期をオペレータと同意（または約束）する。接続が許容される時間を‘グラント時間区間（ｇｒａｎｔ  ｔｉｍｅ  ｉｎｔｅｒｖａｌ）１１０’といい、接続が許容されない（または禁止された）時間を‘禁止時間区間（ｆｏｒｂｉｄｄｅｎ  ｔｉｍｅ  ｉｎｔｅｒｖａｌ）１２０’という。また、前記グラント時間区間において実質的に通信を行う時間を‘通信ウィンドウ（ｃｏｍｍｕｎｉｃａｔｉｏｎ  ｗｉｎｄｏｗ）１３０’という。
【００１２】
ネットワークは、前記グラント時間区間の間にＭＴＣ端末と通信を行い、また、ＭＴＣユーザ及びＭＴＣサーバとも前記グラント時間区間の間に通信を行うことができる。‘グラント時間区間’は、接続が禁止される‘禁止時間区間’と重畳しない。
【００１３】
一般に、５〜１０分間の通信ウィンドウは、各ＭＴＣ端末に十分である。ネットワークオペレータは、前記通信ウィンドウの区間を制限することができる。ネットワークオーバーロード（ｏｖｅｒｌｏａｄ）を避けるために、ＭＴＣ端末の通信ウィンドウでのシグナリング及びデータトラフィックは、予め定義された時間周期（例えば、各通信ウィンドウの開始時間をランダム化することによって）に分配される。
【００１４】
アイドルモード（Ｉｄｌｅ  Ｍｏｄｅ）
アイドルモード（ｉｄｌｅ  ｍｏｄｅ）は、端末が、広範囲な地域にわたって複数の基地局がある無線リンク環境を徘徊しても、特定の基地局に登録することなく周期的にダウンリンクブロードキャスト（ｂｒｏａｄｃａｓｔ）メッセージを受信することができるメカニズムである。
【００１５】
アイドルモードは、ハンドオーバ（ｈａｎｄｏｖｅｒ；ＨＯ）だけでなく全ての正常動作（ｎｏｒｍａｌ  ｏｐｅｒａｔｉｏｎ）を停止し、一定区間でのみブロードキャストメッセージであるページングメッセージ（ｐａｇｉｎｇ  ｍｅｓｓａｇｅ）を受信できるように、ダウンリンク同期化（ｄｏｗｎｌｉｎｋ  ｓｙｎｃｈｒｏｎｉｚａｔｉｏｎ）のみを取っている状態である。ページングメッセージは、端末にページング動作（ｐａｇｉｎｇ  ａｃｔｉｏｎ）を指示するメッセージである。例えば、ページング動作にはレンジング実行、ネットワーク再進入（ｎｅｔｗｏｒｋ  ｒｅｅｎｔｒｙ）などがある。
【００１６】
アイドルモードは、端末によって開始されたり、または基地局によって開始されてもよい。すなわち、端末は、登録解除要請（ＤＲＥＧ−ＲＥＱ）メッセージを基地局に伝送し、これに対する応答として登録解除応答（ＤＲＥＧ−ＲＳＰ）メッセージを基地局から受信することによって、アイドルモードに進入することができる。また、基地局が端末に登録解除応答（ＤＲＥＧ−ＲＳＰ）メッセージまたは登録解除命令（ＤＲＥＧ−ＣＭＤ）メッセージを伝送することによって、アイドルモードに進入することができる。
【００１７】
アイドルモードにおいて、端末が、利用可能区間（Ａｖａｉｌａｂｌｅ  Ｉｎｔｅｒｖａｌ：ＡＩ）の間に、自身に該当するページングメッセージ（ｐａｇｉｎｇ  ｍｅｓｓａｇｅ）を受信する場合、基地局と、ネットワーク進入過程を通じて接続モード（ｃｏｎｎｅｃｔｅｄ  ｍｏｄｅ）に切り替えてデータを送受信する。
【発明の概要】
【発明が解決しようとする課題】
【００１８】
Ｍ２Ｍ通信（またはＭＴＣ）において、Ｍ２Ｍ端末（またはＭＴＣ端末）に対する応用プログラムまたはファームウェアの自動更新は、Ｍ２Ｍサービスの主要な例となり得る。すなわち、各Ｍ２Ｍ端末の応用プログラムまたはファームウェアを更新するために、ネットワーク（例えば、Ｍ２Ｍサーバまたは基地局）はＭ２Ｍ端末に更新情報を伝送することができる。
【００１９】
しかし、ネットワークがアイドルモードの各Ｍ２Ｍ端末に前記更新情報をユニキャスト（ｕｎｉｃａｓｔ）方式で伝達する場合、各Ｍ２Ｍ端末は、各ネットワークへページング過程及びネットワーク再進入（ｎｅｔｗｏｒｋ  ｒｅ−ｅｎｔｒｙ）過程を行わなければならないため、無線チャネルに混雑が発生し得る。また、ネットワークが各Ｍ２Ｍ端末に前記更新情報をユニキャスト方式で伝達する場合、データ受信の遅延（ｄｅｌａｙ）が増加し、資源の浪費が発生し得る。
【００２０】
したがって、本明細書は、アイドルモードのＭ２Ｍ端末に、特定のサービスフロー（例えば、マルチキャストサービス）に対して、Ｍ２Ｍグループ単位で特定のサービスフローに該当するトラフィックを伝送する方法を提供することに目的がある。
【課題を解決するための手段】
【００２１】
上記のような目的を達成するために、本明細書での一開示によれば、機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムにおいて、アイドルモード（ｉｄｌｅ  ｍｏｄｅ）の端末がマルチキャストトラフィック（ｍｕｌｔｉｃａｓｔ  ｔｒａｆｆｉｃ）を受信する方法が提供される。前記方法は、マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信することと；前記受信された制御情報に基づいて、アイドルモードを終了せずに、前記基地局からマルチキャストトラフィックを受信することを含み、前記ページングメッセージは、前記マルチキャストトラフィックが伝送されるＭ２Ｍグループを示す識別情報をさらに含むことができる。
【００２２】
前記方法は、前記基地局とネットワーク進入（ｎｅｔｗｏｒｋ  ｅｎｔｒｙ）過程を行うことをさらに含むことができる。
【００２３】
前記方法は、前記基地局と、マルチキャストトラフィックに対するサービスフロー（ｓｅｒｖｉｃｅ  ｆｌｏｗ）を追加するための動的サービス追加（ｄｙｎａｍｉｃ  ｓｅｒｖｉｃｅ  ａｄｄｉｔｉｏｎ；ＤＳＡ）過程を行うことをさらに含み、前記動的サービス追加過程を通じて、前記追加されるマルチキャストトラフィックに該当するサービスフローに対するＭ２Ｍグループ識別子が割り当てられてもよい。
前記動的サービス追加過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられてもよい。
【００２４】
前記基地局とネットワーク進入（ｎｅｔｗｏｒｋ  ｅｎｔｒｙ）過程を行うことは、前記基地局と能力交渉（ｃａｐａｂｉｔｉｔｙ  ｎｅｇｏｃｉａｔｉｏｎ）過程を行うことをさらに含み、前記能力交渉過程を通じて、前記追加されるマルチキャストトラフィックに該当するサービスフローに対するＭ２Ｍグループ識別子が割り当てられてもよい。
【００２５】
前記能力交渉過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられてもよい。
【００２６】
前記基地局とネットワーク進入（ｎｅｔｗｏｒｋ  ｅｎｔｒｙ）過程を行うことは、前記基地局と登録（ｒｅｇｉｓｔｒａｔｉｏｎ）過程を行うことをさらに含み、前記登録過程を通じて、前記追加されるマルチキャストトラフィックに該当するサービスフローに対するＭ２Ｍグループ識別子が割り当てられてもよい。
【００２７】
このとき、前記基地局と、マルチキャストトラフィックに対するサービスフロー（ｓｅｒｖｉｃｅ  ｆｌｏｗ）を追加するための動的サービス追加（ｄｙｎａｍｉｃ  ｓｅｒｖｉｃｅ  ａｄｄｉｔｉｏｎ；ＤＳＡ）過程を行うことをさらに含み、前記動的サービス追加過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられてもよい。
【００２８】
前記方法は、前記基地局と、登録解除（ｄｅ−ｒｅｇｉｓｔｒａｔｉｏｎ）過程を行うことをさらに含み、前記登録解除過程を通じて、前記追加されるマルチキャストトラフィックに該当するサービスフローに対するＭ２Ｍグループ識別子が割り当てられてもよい。
【００２９】
前記登録解除過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられてもよい。
【００３０】
前記ページングメッセージは、前記基地局とのネットワーク再進入（ｎｅｔｗｏｒｋ  ｒｅ−ｅｎｔｒｙ）のないマルチキャストトラフィック受信を指示することを特徴とすることができる。
【００３１】
前記制御情報は、動作コード（Ａｃｔｉｏｎ  Ｃｏｄｅ）フィールドであることを特徴とすることができる。
【００３２】
上記のような目的を達成するために、本明細書での他の開示によれば、機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムのアイドルモード（ｉｄｌｅ  ｍｏｄｅ）でマルチキャスト（ｍｕｌｔｉｃａｓｔ）トラフィックを受信するための端末が提供される。前記端末は、外部と無線信号を送受信するための無線（ＲＦ）通信部と；前記無線通信部と連結される制御部と；を含み、前記制御部は、マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信するように前記無線通信部を制御し、アイドルモードを終了せずに、前記基地局からマルチキャストトラフィックを受信するように前記無線通信部を制御し、前記ページングメッセージは、前記マルチキャストトラフィックが伝送されるＭ２Ｍグループを示す識別情報をさらに含むことを特徴とすることができる。
【００３３】
前記制御部は、前記基地局とネットワーク進入（ｎｅｔｗｏｒｋ  ｅｎｔｒｙ）過程を行うように制御することができる。
【００３４】
前記制御部は、前記基地局との動的サービス追加（ｄｙｎａｍｉｃ  ｓｅｒｖｉｃｅ  ａｄｄｉｔｉｏｎ；ＤＳＡ）過程を通じて追加されるサービスフロー（ｓｅｒｖｉｃｅ  ｆｌｏｗ）に対するＭ２Ｍグループ識別子を前記基地局から受信するように前記無線通信部を制御し、前記追加されるサービスフローは、マルチキャストトラフィックに該当するサービスフローであることを特徴とすることができる。
【００３５】
前記制御部は、前記動的サービス追加過程を通じてフロー識別子（ｆｌｏｗ  Ｉｄｅｎｔｉｆｉｅｒ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することができる。
【００３６】
前記制御部は、前記基地局との能力交渉過程を通じてマルチキャストトラフィックに該当するサービスフローに対するＭ２Ｍグループ識別子を前記基地局から受信するように前記無線通信部を制御することができる。
【００３７】
前記制御部は、前記能力交渉過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することができる。
【００３８】
前記制御部は、前記基地局との登録過程を通じてマルチキャストトラフィックに該当するサービスフローに対するＭ２Ｍグループ識別子を前記基地局から受信するように前記無線通信部を制御することができる。
【００３９】
前記制御部は、前記基地局との動的サービス追加（ｄｙｎａｍｉｃ  ｓｅｒｖｉｃｅ  ａｄｄｉｔｉｏｎ；ＤＳＡ）過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することができる。
【００４０】
前記制御部は、前記基地局との登録解除（ｄｅ−ｒｅｇｉｓｔｒａｔｉｏｎ）過程を通じてマルチキャストトラフィックに該当するサービスフローに対するＭ２Ｍグループ識別子を前記基地局から受信するように前記無線通信部を制御することができる。
【００４１】
前記制御部は、前記登録解除過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することができる。
【００４２】
前記ページングメッセージは、前記基地局とのネットワーク再進入（ｎｅｔｗｏｒｋ  ｒｅ−ｅｎｔｒｙ）のないマルチキャストトラフィック受信を指示することを特徴とすることができる。
【００４３】
前記制御情報は、動作コード（Ａｃｔｉｏｎ  Ｃｏｄｅ）フィールドであることを特徴とすることができる。
【発明の効果】
【００４４】
本明細書に開示された発明によれば、特定のサービスフローに対して、特定のＭ２Ｍグループに属する全てのＭ２Ｍ端末がマルチキャスト（ｍｕｌｔｉｃａｓｔ）受信方法を利用することによって、Ｍ２Ｍ端末の電力消耗を低減し、Ｍ２Ｍシステムの資源を効率よく使用することができる効果がある。
【図面の簡単な説明】
【００４５】
【図１】時間制御されるトラフィック特性を有するＭＴＣ端末に割り当てられる定義された時間区間の一例を示す図である。
【図２】本明細書の一実施例を適用できる無線通信システムを示す概念図である。
【図３】アイドルモードにおいてページング手順を示すフローチャートである。
【図４】本明細書の一実施例に係るアイドルモードの端末がマルチキャストトラフィックを受信する方法を示すフローチャートである。
【図５】本明細書の一実施例に係るＭ２Ｍグループ識別子を割り当てる方法の第１実施例を示すフローチャートである。
【図６】本明細書の一実施例に係るＭ２Ｍグループ識別子を割り当てる方法の第２実施例を示すフローチャートである。
【図７】本明細書の一実施例に係るＭ２Ｍグループ識別子を割り当てる方法の第３実施例を示すフローチャートである。
【図８】本明細書の一実施例に係る端末がＦＩＤ及びＱｏＳパラメータの割り当てを受ける方法の第１実施例を示すフローチャートである。
【図９】本明細書の一実施例に係る端末がＦＩＤ及びＱｏＳパラメータの割り当てを受ける方法の第２実施例を示すフローチャートである。
【図１０】本明細書の一実施例に係る端末がＦＩＤ及びＱｏＳパラメータの割り当てを受ける方法の第３実施例を示すフローチャートである。
【図１１】本明細書の一実施例に係る端末がＦＩＤ及びＱｏＳパラメータの割り当てを受ける方法の第４実施例を示すフローチャートである。
【図１２】本発明の他の実施例によってアイドルモードの端末がマルチキャストトラフィックを受信する方法を示すフローチャートである。
【図１３】本発明の更に他の一実施例によってアイドルモードの端末がマルチキャストトラフィックを受信する方法を示すフローチャートである。
【図１４】本明細書の一実施例を適用できる無線接続システムでの端末と基地局の内部ブロック図である。
【発明を実施するための形態】
【００４６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線通信システムに使用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現可能である。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現可能である。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（Ｅｖｏｌｖｅｄ  ＵＴＲＡ）などのような無線技術で具現可能である。ＩＥＥＥ  ８０２．１６ｍは、ＩＥＥＥ  ８０２．１６ｅの進化であって、ＩＥＥＥ  ８０２．１６ｅベースのシステムとの下位互換性（ｂａｃｋｗａｒｄ  ｃｏｍｐａｔｉｂｉｌｉｔｙ）を提供する。
【００４７】
また、８０２．１６ｐは、機器間通信（Ｍａｃｈｉｎｅ  Ｔｙｐｅ  Ｃｏｍｍｕｎｉｃａｔｉｏｎ：ＭＴＣ）を支援するための通信規格を提供する。
【００４８】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥの進化である。
【００４９】
本明細書で使用される技術用語は、単に、特定の実施例を説明するために使用されたもので、本発明を限定しようとする意図ではないことを留意しなければならない。また、本明細書で使用される技術用語は、本明細書で特別に他の意味で定義されない限り、本発明の属する技術分野における通常の知識を有する者によって一般的に理解される意味で解釈しなければならず、過度に包括的な意味で解釈したり、過度に縮小された意味で解釈してはならない。また、本明細書で使用される技術的な用語が、本発明の思想を正確に表現できない誤った技術用語である場合には、当業者が正しく理解できる技術用語で代替して理解すべきであろう。また、本発明で使用される一般的な用語は、辞典の定義に従って、または前後の文脈によって解釈しなければならず、過度に縮小された意味で解釈してはならない。
【００５０】
また、本明細書で使用される単数の表現は、文脈上明らかに他の意味を表すものでない限り、複数の表現を含む。本出願において、「構成される」または「含む」などの用語は、明細書上に記載された様々な構成要素、または様々な段階を必ず全て含むものと解釈してはならず、そのうち、一部の構成要素または一部の段階を含まなくてもよく、または追加の構成要素または段階をさらに含むこともあると解釈しなければならない。
【００５１】
また、本明細書で使用される第１、第２などのように序数を含む用語は、様々な構成要素を説明するために使用できるが、前記構成要素は、前記用語によって限定されてはならない。前記用語は、一つの構成要素を他の構成要素から区別する目的でのみ使用される。例えば、本発明の権利範囲を外れない限り、第１構成要素は第２構成要素と命名してもよく、同様に、第２構成要素は第１構成要素と命名してもよい。
【００５２】
ある構成要素が他の構成要素に「連結」又は「接続」されていると言及された場合には、その他の構成要素に直接的に連結又は接続されていることもあるが、その構成要素間に他の構成要素が存在することもある。反面、ある構成要素が他の構成要素に「直接連結」又は「直接接続」されていると言及された場合には、その構成要素間に他の構成要素が存在しないと理解すべきであろう。
【００５３】
以下、添付の図面を参照して、本発明の好ましい実施例を詳細に説明し、図面符号に関係なく同一又は類似の構成要素には同一の参照番号を付与し、これに関する重複説明は省略する。また、本発明を説明するにあたって、関連する公知技術に対する具体的な説明が、本発明の要旨を曖昧にすると判断される場合は、その詳細な説明を省略する。また、添付の図面は、本発明の思想を容易に理解できるようにするためのものに過ぎず、添付の図面によって本発明の思想が制限されるものと解釈してはならないことに留意すべきである。本発明の思想は、添付の図面以外に、全ての変更、均等物ないし代替物にまで拡張されるものと解釈しなければならない。
【００５４】
図２は、本明細書の一実施例を適用できる無線通信システムを示す概念図である。無線通信システムは、音声、パケットデータなどのような様々な通信サービスを提供するために広く配置される。
【００５５】
図２を参照すると、無線通信システムは、端末（Ｍｏｂｉｌｅ  ｓｔａｔｉｏｎ、ＭＳ）１０及び基地局（Ｂａｓｅ  Ｓｔａｔｉｏｎ、ＢＳ）２０を含む。端末１０は、固定されたり、移動性を有することができ、ＵＥ（Ｕｓｅｒ  Ｅｑｕｉｐｍｅｎｔ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、ＡＭＳ（Ａｄｖａｎｃｅｄ  Ｍｏｂｉｌｅ  Ｓｔａｔｉｏｎ）などの他の用語で呼ばれてもよい。また、端末１０は、ＭＴＣまたはＭ２Ｍ端末の概念を含む。
【００５６】
一般に、基地局２０は、端末１０と通信を行う固定された地点（ｆｉｘｅｄ  ｓｔａｔｉｏｎ）をいい、ノードＢ（ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの他の用語で呼ばれてもよい。一つの基地局２０には一つ以上のセルが存在できる。
【００５７】
無線通信システムは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ベースのシステムであってもよい。
【００５８】
ＯＦＤＭは、多数の直交副搬送波を用いる。ＯＦＤＭは、ＩＦＦＴ（ｉｎｖｅｒｓｅ  ｆａｓｔ  Ｆｏｕｒｉｅｒ  Ｔｒａｎｓｆｏｒｍ）とＦＦＴ（ｆａｓｔ  Ｆｏｕｒｉｅｒ  Ｔｒａｎｓｆｏｒｍ）との間の直交性特性を利用する。送信機で、データはＩＦＦＴを行って伝送する。受信機で、受信信号に対してＦＦＴを行って元のデータを復元する。送信機は、多重副搬送波を結合するためにＩＦＦＴを使用し、受信機は、多重副搬送波を分離するために、対応するＦＦＴを使用する。
【００５９】
アイドルモードでのページング（Ｐａｇｉｎｇ  ｉｎ  ｉｄｌｅ  ｍｏｄｅ）
図３は、アイドルモードにおいてページング手順を示すフローチャートである。
【００６０】
以下では、説明の便宜のために、ＩＥＥＥ  ８０２．１６ｅ、１６ｍ、１６ｐシステムを基準に記述する。しかし、本発明の技術的思想がこれに限定されるものではない。
【００６１】
図３を参照すると、端末は、アイドルモードに進入するために、基地局との登録解除を要請するために、基地局に登録解除要請（ＤＲＥＧ−ＲＥＱ）メッセージを伝送する。
【００６２】
その後、基地局は、端末に、前記ＤＲＥＧ−ＲＥＱメッセージに対する応答として、登録解除応答（ＤＲＥＧ−ＲＳＰ）メッセージを伝送する。このとき、前記ＤＲＥＧ−ＲＳＰメッセージは、ページング情報（Ｐａｇｉｎｇ  Ｉｎｆｏｒｍａｔｉｏｎ）を含む。
【００６３】
ここで、端末のアイドルモードへの進入は、基地局の要請により開始されてもよい。この場合、基地局は、端末にＤＲＥＧ−ＲＳＰメッセージを伝送する。
【００６４】
前記ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）、及びページング聴取区間（Ｐａｇｉｎｇ  Ｌｉｓｔｅｎｉｎｇ  Ｉｎｔｅｒｖａｌ）の値などを含むことができる。
【００６５】
基地局からＤＲＥＧ−ＲＳＰメッセージを受信した端末は、前記ページング情報を参照してアイドルモードに進入する。
【００６６】
アイドルモードはページング周期（Ｐａｇｉｎｇ  Ｃｙｃｌｅ）を有し、一つのページング周期は、利用可能区間（Ａｖａｉｌａｂｌｅ  Ｉｎｔｅｒｖａｌ）及び利用不可区間（Ｕｎａｖａｉｌａｂｌｅ  Ｉｎｔｅｒｖａｌ）で構成することができる。このとき、利用可能区間は、ページング聴取区間またはページング区間（ｐａｇｉｎｇ  ｉｎｔｅｒｖａｌ）と同一の概念である。ページングオフセットは、ページング周期内でページング区間が始まる時点（例えば、フレームまたはサブフレーム）を示す。また、ページンググループ識別子は、端末に割り当てられたページンググループの識別子を示す。
【００６７】
また、前記ページング情報は、ページングメッセージオフセット（ｐａｇｉｎｇ  ｍｅｓｓａｇｅ  ｏｆｆｓｅｔ）情報を含むことができる。ここで、前記ページングメッセージオフセット情報は、基地局からページングメッセージが伝送される時点を示す。
【００６８】
その後、端末は、前記ページング情報を用いて、利用可能区間（すなわち、ページング聴取期間（Ｐａｇｉｎｇ  Ｌｉｓｔｅｎｉｎｇ  Ｉｎｔｅｒｖａｌ））で自身に伝達されるページングメッセージを受信することができる。ここで、前記ページングメッセージは、基地局またはページング制御器を通じて伝送可能である。すなわち、端末は、ページングメッセージを受信するために、ページング周期に応じて無線チャネルをモニタする。
【００６９】
アイドルモードにある端末は、自身のページング聴取区間でページングメッセージを受信して、自身に伝達されるダウンリンク（ＤＬ）データがあるか否かを確認する（Ｓ３１０）。仮にダウンリンクデータがあれば（すなわち、ｐｏｓｉｔｉｖｅ  ｉｎｄｉｃａｔｉｏｎ）、端末は、レンジング（ｒａｎｇｉｎｇ）過程を含んだネットワーク再進入（ｎｅｔｗｏｒｋ  ｒｅｅｎｔｒｙ）過程を行う（Ｓ３２０）。その後、ＤＳＡ（ｄｙｎａｍｉｃ  ｓｅｒｖｉｃｅ  ａｄｄｉｔｉｏｎ）過程を通じて、関連するダウンリンクサービスフローに対する連結を設定する過程を行う（Ｓ３３０）。前記サービスフローに対する連結が設定された後、基地局は、端末に、該当のサービスに対するダウンリンクデータを伝送する（Ｓ３４０）。
【００７０】
以下では、本明細書で提案するアイドルモードの端末、特に、アイドルモードのＭ２Ｍ端末が、ネットワーク再進入の過程なしに（または、アイドルモードの終了なしに）マルチキャストトラフィックを受信するための方法について具体的に説明する。
【００７１】
以下では、説明の便宜上、Ｍ２Ｍ端末を例に挙げて説明するが、本明細書の技術的思想はこれに限定されない。
【００７２】
図４は、本明細書の一実施例に係るアイドルモードのＭ２Ｍ端末がマルチキャストトラフィックを受信する方法を示すフローチャートである。
【００７３】
図４を参照すると、アイドルモードのＭ２Ｍ端末１０は、ページングリスニング区間（ｐａｇｉｎｇ  ｌｉｓｔｅｎｉｎｇ  ｉｎｔｅｒｖａｌ）の間に、基地局２０から、マルチキャストトラフィック伝送と関連した制御情報を含むページング（広告）メッセージを受信する（Ｓ４１０）。
【００７４】
ここで、前記制御情報は、マルチキャストトラフィックの受信を指示する動作コード（Ａｃｔｉｏｎ  Ｃｏｄｅ）であってもよく、またはマルチキャストトラフィックが伝送されるか否かを示すマルチキャストトラフィック指示（ｍｕｌｔｉｃａｓｔ  ｔｒａｆｆｉｃ  ｉｎｄｉｃａｔｉｏｎ）情報であってもよい。
【００７５】
ここで、前記制御情報が、Ｍ２Ｍ端末のマルチキャストトラフィック受信動作を指示したり（例えば、ａｃｔｉｏｎ  ｃｏｄｅが‘０ｂ１０’）、マルチキャストトラフィックが伝送されることを指示する場合（例えば、ｍｕｌｔｉｃａｓｔ  ｔｒａｆｆｉｃ  ｉｎｄｉｃａｔｉｏｎが‘１’に設定された場合）、前記制御情報は、アイドルモードのＭ２Ｍ端末が、ネットワーク再進入の過程なしに、アイドルモードでマルチキャストトラフィックを受信することを示す情報を意味することができる。
【００７６】
また、前記制御情報は、ページングメッセージ（例えば、８０２．１６ｅシステムでのＭＯＢ＿ＰＡＧ−ＡＤＶ、８０２．１６ｍシステムでのＡＡＩ−ＰＡＧ−ＡＤＶまたはＰＧＩＤ−Ｉｎｆｏ）だけでなく、特定のダウンリンク制御チャネル（例えば、１６ｅシステムでのＤＬ  ＭＡＰ  ＩＥｓ、１６ｍシステムでのＡ−ＭＡＰ  ＩＥ）または特定のＭＡＣ制御メッセージを通じて伝送されてもよい。本明細書では、説明の便宜上、ページングメッセージ（ＡＡＩ−ＰＡＧ−ＡＤＶまたはＭＯＢ＿ＰＡＧ−ＡＤＶ）を通じて前記制御情報を伝送することを例に挙げて説明する。
【００７７】
マルチキャストトラフィックの正確な伝送のために、前記制御情報、すなわち、アイドルモードでマルチキャストトラフィックを受信することを知らせる制御情報だけでなく、どの端末が前記マルチキャストトラフィックを受信しなければならないのか知らせる情報も伝送しなければならない。そのために、Ｍ２Ｍグループ及び“識別情報”が定義される。
【００７８】
前記Ｍ２Ｍグループは、一つ以上の特徴（ｆｅａｔｕｒｅ）を共通して共有するＭ２Ｍ端末のグループである。例えば、特定の応用サービスを提供する端末の集合であり得る。各Ｍ２Ｍグループは、Ｍ２Ｍグループ識別子（Ｍ２Ｍ  ｇｒｏｕｐ  ＩＤ；ＭＧＩＤ）の割り当てを受け（Ｓ４００）、ＭＧＩＤは、ネットワークエンティティ（ｎｅｔｗｏｒｋ  ｅｎｔｉｔｙ）で特定のＭ２Ｍグループを唯一に識別する。ここで、ネットワークエンティティは、一例として、基地局であってもよい。
【００７９】
Ｍ２Ｍグループ識別子（ＭＧＩＤ）は、ネットワークエンティティ（ｎｅｔｗｏｒｋ  ｅｎｔｉｔｙ）によって割り当てられ、初期ネットワーク進入の後に、ＤＳＡ過程を通じて、Ｍ２Ｍ端末のサービスフロー（ｓｅｒｖｉｃｅ  ｆｌｏｗ）に対して割り当てられてもよい。または、他の過程を通じて割り当てられてもよい。Ｍ２Ｍグループ識別子の割当過程は、後述する図５乃至図７を参照して具体的に説明する。割り当てられたＭＧＩＤは、端末がネットワークを外れたり、またはネットワークがＭＧＩＤに関連するサービスフローを削除しない限り、Ｍ２Ｍ端末に維持される。ＭＧＩＤは、動的サービス変更（ｄｙｎａｍｉｃ  ｓｅｒｖｉｃｅ  ｃｈａｎｇｅ；ＤＳＣ）過程を通じて変更されてもよい。
【００８０】
前記“識別情報”は、マルチキャストを受信するＭ２Ｍグループを示す識別子であり、例えば、前記Ｍ２Ｍグループ識別子（ＭＧＩＤ）であり得る。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【００８１】
本発明の実施例に係るマルチキャストトラフィックの伝送のために、ページングメッセージには、マルチキャストトラフィックを受信する端末、すなわち、Ｍ２Ｍグループを示す識別情報が含まれる。
【００８２】
その後、アイドルモードのＭ２Ｍ端末は、ページングメッセージを通じて受信された制御情報及び識別情報に基づいて、下記の過程を行う。
【００８３】
まず、アイドルモードのＭ２Ｍ端末１０は、前記制御情報が（ネットワーク再進入の過程なしに）マルチキャストトラフィックに対する受信を指示する場合、基地局２０から（ＤＳＡ過程を通じて）割り当てられたＭ２Ｍグループ識別子と、前記ページングメッセージを通じて受信した識別情報とが同一であるか否かを確認する。
【００８４】
前記確認の結果、前記基地局２０から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ４９０）。ここで、アイドルモードのＭ２Ｍ端末１０は、基地局２０から前記ダウンリンクマルチキャストトラフィックを受信するために、次のページングリスニング区間までダウンリンクチャネルを続けてデコーディング（ｄｅｃｏｄｉｎｇ）する。
【００８５】
下記表１は、本明細書の一実施例に係るページングメッセージフォーマットの一例を示す。
【００８６】
【表１】
2013544481.tif 000003
ここで、前記制御情報は、前記表１の‘Ａｃｔｉｏｎ  Ｃｏｄｅ’フィールドを意味し、前記識別情報は、前記表１の‘ＭＧＩＤ’フィールドを意味することができる。
【００８７】
表１を参照すると、‘ＭＧＩＤフィールド’は、マルチキャストトラフィックが伝送されるＭ２Ｍグループ識別子を示し、前記ＭＧＩＤフィールドには一つ以上のＭＧＩＤが含まれ得る。
【００８８】
また、‘Ａｃｔｉｏｎ  Ｃｏｄｅ’フィールドは、基地局がアイドルモード端末の動作を指示する情報であって、一例として、Ａｃｔｉｏｎ  Ｃｏｄｅが‘０ｂ１０’に設定された場合、アイドルモードＭ２Ｍ端末のマルチキャストトラフィック受信動作を指示する。このとき、前記指示は（Ａｃｔｉｏｎ  ｃｏｄｅ＝０ｂ１０）、ネットワーク再進入（ｎｅｔｗｏｒｋ  ｒｅｅｎｔｒｙ）のないマルチキャストトラフィック受信を意味することができる。
【００８９】
下記表２は、本明細書の一実施例に係るページングメッセージフォーマットの更に他の例を示す。
【００９０】
【表２】
2013544481.tif 000004
ここで、前記制御情報は、前記表２の‘ｍｕｌｔｉｃａｓｔ  ｔｒａｆｆｉｃ  ｉｎｄｉｃａｔｉｏｎ’フィールドを意味し、前記識別情報は、前記表２の‘ＧｒｏｕｐＩＤｓ’フィールドを意味することができる。
【００９１】
表２を参照すると、‘ｍｕｌｔｉｃａｓｔ  ｔｒａｆｆｉｃ  ｉｎｄｉｃａｔｉｏｎ’フィールドは、ｍｕｌｔｉｃａｓｔ  ｔｒａｆｆｉｃが伝送されるか否かを示す。一例として、ｍｕｌｔｉｃａｓｔ  ｔｒａｆｆｉｃ  ｉｎｄｉｃａｔｉｏｎが‘０’に設定されると、ｍｕｌｔｉｃａｓｔ  ｔｒａｆｆｉｃが伝送されないことを示し、ｍｕｌｔｉｃａｓｔ  ｔｒａｆｆｉｃｉｎｄ  ｉｃａｔｉｏｎが‘１’に設定された場合、ｍｕｌｔｉｃａｓｔ  ｔｒａｆｆｉｃが伝送されることを示す。
【００９２】
また、‘Ｇｒｏｕｐ  ＩＤ  ｂｉｔｍａｐ  Ｉｎｄｉｃａｔｏｒ’フィールドは、ｍｕｌｔｉｃａｓｔ  ｔｒａｆｆｉｃが伝送されるＭ２Ｍグループ識別子が、インデックス形態であるか、またはビットマップ形態であるかを示す。一例として、‘Ｇｒｏｕｐ  ＩＤ  ｂｉｔｍａｐ  Ｉｎｄｉｃａｔｏｒ’が‘０’に設定された場合には、Ｍ２Ｍグループ識別子がインデックス形態であり、‘Ｇｒｏｕｐ  ＩＤ  ｂｉｔｍａｐ  Ｉｎｄｉｃａｔｏｒ’が‘１’に設定された場合には、Ｍ２Ｍグループ識別子がビットマップ形態である。ここで、‘Ｇｒｏｕｐ  ＩＤ  ｂｉｔｍａｐ  Ｉｎｄｉｃａｔｏｒ’フィールドは、‘ｍｕｌｔｉｃａｓｔ  ｔｒａｆｆｉｃ  ｉｎｄｉｃａｔｉｏｎ’がｍｕｌｔｉｃａｓｔ  ｔｒａｆｆｉｃが伝送されることを指示する場合（すなわち、‘１’に設定）、ページングメッセージに含まれる。
【００９３】
下記表３及び表４は、本明細書で提案したマルチキャスト受信方法をＩＥＥＥ  ８０２．１６ｅシステムに適用するためのページングメッセージフォーマットの一例を示す。
【００９４】
【表３】
2013544481.tif 000005
前記表３のＭ２ＭグループページングパラメータＴＬＶ値は、ＭＯＢ＿ＰＡＧ−ＡＤＶメッセージに含まれ得る。
【００９５】
【表４】
2013544481.tif 000006
前記表４のＴＬＶ値は、各Ｍ２ＭグループページングパラメータＴＬＶ値に表れるだろう。
【００９６】
以下、Ｍ２ＭグループＩＤの割当方法について説明する。
【００９７】
以下では、説明の便宜のために、ＩＥＥＥ  ８０２．１６ｍシステムを基準に説明する。しかし、本発明の技術的思想がこれに限定されるものではない。
【００９８】
図５は、本明細書の一実施例に係るＭ２Ｍグループ識別子を割り当てる方法の第１実施例を示すフローチャートである。
【００９９】
Ｍ２Ｍ端末１０は、基地局２０とネットワーク進入（Ｎｅｔｗｏｒｋ  ｅｎｔｒｙ）過程を行う（Ｓ５１０）。その後、前記Ｍ２Ｍ端末１０は、前記基地局２０と動的サービス追加（ＤＳＡ）過程を行う。すなわち、基地局２０は、Ｍ２Ｍ端末１０にＡＡＩ−ＤＳＡ−ＲＥＱメッセージを伝送し（Ｓ５２０）、次に、Ｍ２Ｍ端末１０は、基地局２０にＡＡＩ−ＤＳＡ−ＲＳＰメッセージを伝送し（Ｓ５３０）、次に、基地局２０は、Ｍ２Ｍ端末１０にＡＡＩ−ＤＳＡ−ＡＣＫメッセージを伝送することによって（Ｓ５４０）、前記ＤＳＡ過程が行われる。このとき、前記Ｍ２Ｍ端末１０は、ＡＡＩ−ＤＳＡ−ＲＥＱメッセージを通じて、マルチキャストトラフィックと関連したサービスフローに対するＭ２Ｍグループ識別子、すなわち、ＭＧＩＤの割り当を受ける。図５には、前記Ｍ２Ｍ端末１０が、Ｍ２Ｍグループ識別子として、“Ａ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１００】
その後、前記Ｍ２Ｍ端末１０は、アイドルモードに進入する。アイドルモードの進入のために、前記Ｍ２Ｍ端末１０は、前記基地局２０とＡＡＩ−ＤＲＥＧ−ＲＥＱメッセージ及びＡＡＩ−ＤＲＥＧ−ＲＳＰメッセージを送受信することができる（Ｓ５５０）。
【０１０１】
アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ５８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１０２】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ５９０）。
【０１０３】
図６は、本明細書の一実施例に係るＭ２Ｍグループ識別子を割り当てる方法の第２実施例を示すフローチャートである。
【０１０４】
Ｍ２Ｍ端末１０は、アイドルモードに進入する時、Ｍ２Ｍグループ識別子の割り当てを受けることができる。
【０１０５】
例えば、前記Ｍ２Ｍ端末１０は、前記基地局２０との登録解除（Ｄｅ−ｒｅｇｉｓｔｒａｔｉｏｎ）過程を通じてアイドルモードに進入し、このとき、Ｍ２Ｍグループ識別子の割り当てを受けることができる。すなわち、Ｍ２Ｍ端末１０は、基地局２０にＡＡＩ−ＤＲＥＧ−ＲＥＱメッセージを伝送して登録解除を要請する（Ｓ６１０）。前記ＡＡＩ−ＤＲＥＧ−ＲＥＱメッセージを受信した基地局２０は、ＡＡＩ−ＤＲＥＧ−ＲＳＰメッセージを伝送して登録解除を承認する（Ｓ６２０）。このとき、基地局２０は、前記Ｍ２Ｍ端末１０にＭ２Ｍグループ識別子を割り当てることができる。図６には、前記Ｍ２Ｍ端末１０が、Ｍ２Ｍグループ識別子として、“Ａ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１０６】
その後、前記Ｍ２Ｍ端末１０はアイドルモードに進入する。アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ６８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１０７】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ６９０）。
【０１０８】
図７は、本明細書の一実施例に係るＭ２Ｍグループ識別子を割り当てる方法の第３実施例を示すフローチャートである。
【０１０９】
Ｍ２Ｍ端末１０は、初期ネットワーク進入（Ｉｎｉｔｉａｌ  ｎｅｔｗｏｒｋ  ｅｎｔｒｙ）中に、能力交渉（ｃａｐａｂｉｌｉｔｙ  ｎｅｇｏｔｉａｔｉｏｎ）の過程を通じてＭ２Ｍグループ識別子の割り当てを受けることができる。
【０１１０】
一例として、Ｍ２Ｍ端末１０は、基地局２０にＡＡＩ−ＲＥＧ−ＲＥＱメッセージを伝送して前記能力交渉を要請する（Ｓ７１０）。前記ＡＡＩ−ＲＥＧ−ＲＥＱメッセージを受信した基地局２０は、関連した能力交渉を行い、ＡＡＩ−ＲＥＧ−ＲＳＰメッセージを伝送する（Ｓ７２０）。このとき、基地局２０は、前記Ｍ２Ｍ端末１０にＭ２Ｍグループ識別子を割り当てることができる。図７には、前記Ｍ２Ｍ端末１０が、Ｍ２Ｍグループ識別子として、“Ａ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１１１】
その後、前記Ｍ２Ｍ端末１０はアイドルモードに進入する。アイドルモードの進入のために、前記Ｍ２Ｍ端末１０は、前記基地局２０とＡＡＩ−ＤＲＥＧ−ＲＥＱメッセージ及びＡＡＩ−ＤＲＥＧ−ＲＳＰメッセージを送受信することができる（Ｓ７５０）。
【０１１２】
アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ７８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１１３】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ７９０）。
【０１１４】
他の例として、前記能力交渉の過程は、ＡＡＩ−ＲＥＧ−ＲＥＱ／ＲＳＰメッセージの代わりに、ＡＡＩ−ＳＢＣ−ＲＥＱ／ＲＳＰメッセージを使用して行われてもよい。
【０１１５】
また、端末は、ネットワーク進入の後に、別途のＭＡＣメッセージを通じてＭ２Ｍグループ識別子の割り当てを受けることもできる。例えば、端末が、Ｇｒｏｕｐ  ＩＤ  Ａｌｌｏｃａｔｉｏｎ  Ｒｅｑｕｅｓｔ  ＭＡＣメッセージを伝送し、基地局からＧｒｏｕｐ  ＩＤ  Ａｌｌｏｃａｔｉｏｎ  Ｒｅｓｐｏｎｓｅメッセージを受信することによって、Ｍ２Ｍグループ識別子の割り当てを受けることができる。
【０１１６】
以下、フロー識別子（Ｆｌｏｗ  Ｉｄｅｎｔｉｆｉｅｒ：ＦＩＤ）及びサービス品質（Ｑｕａｌｉｔｙ  ｏｆ  Ｓｅｒｖｉｃｅ：ＱｏＳ）パラメータの割り当てを受ける方法について説明する。
【０１１７】
図８は、本明細書の一実施例に係る端末がＦＩＤ及びＱｏＳパラメータの割り当てを受ける方法の第１実施例を示すフローチャートである。
【０１１８】
上述したように、Ｍ２Ｍ端末が、アイドルモードでネットワーク再進入（Ｎｅｔｗｏｒｋ  ｒｅｅｎｔｒｙ）なしにマルチキャストデータを受信するために、Ｍ２Ｍ端末が、Ｍ２Ｍグループ識別子だけでなく、フローＩＤ（ｆｌｏｗ  ｉｄ；ＦＩＤ）とＱｏＳ（Ｑｕａｌｉｔｙ  ｏｆ  Ｓｅｒｖｉｃｅ）パラメータの割り当ても受けることができる。前記割り当てられたＦＩＤは、基地局２０がマルチキャストデータを伝送する時、ＭＡＣヘッダーに含まれる。
【０１１９】
Ｍ２Ｍ端末１０は、アイドルモードに進入する時、ＦＩＤとＱｏＳパラメータの割り当てを受けることができる。
【０１２０】
例えば、ＩＥＥＥ  ８０２．１６システムでは、前記Ｍ２Ｍ端末１０は、前記基地局２０との登録解除過程（Ｄｅ−ｒｅｇｉｓｔｒａｔｉｏｎ）を通じてアイドルモードに進入し、このとき、ＦＩＤとＱｏＳパラメータの割り当てを受けることができる。すなわち、Ｍ２Ｍ端末１０は、基地局２０にＡＡＩ−ＤＲＥＧ−ＲＥＱメッセージを伝送して登録解除を要請する（Ｓ８１０）。前記ＡＡＩ−ＤＲＥＧ−ＲＥＱメッセージを受信した基地局２０は、ＡＡＩ−ＤＲＥＧ−ＲＳＰメッセージを伝送して登録解除を承認する（Ｓ８２０）。このとき、基地局２０は、前記Ｍ２Ｍ端末１０に、マルチキャストトラフィックの受信のためのＦＩＤとＱｏＳパラメータを、ＡＡＩ−ＤＲＥＧ−ＲＳＰメッセージを通じて伝送することができる。図８には、前記Ｍ２Ｍ端末１０が、Ｍ２Ｍグループ識別子として“Ａ”を、そして、ＦＩＤとして“Ｆ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１２１】
その後、前記Ｍ２Ｍ端末１０はアイドルモードに進入する。アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ８８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１２２】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ８９０）。マルチキャストトラフィックが伝送される時、それに対するＭＡＰ  ＩＥ（ｉｎｆｏｒｍａｔｉｏｎ  ｅｌｅｍｅｎｔ）が伝送され、マルチキャストトラフィックのＭＡＣヘッダーにはＦＩＤが含まれる。
【０１２３】
図９は、本明細書の一実施例に係る端末がＦＩＤ及びＱｏＳパラメータの割り当てを受ける方法の第２実施例を示すフローチャートである。
【０１２４】
Ｍ２Ｍ端末１０は、初期ネットワーク進入（Ｉｎｉｔｉａｌ  ｎｅｔｗｏｒｋ  ｅｎｔｒｙ）中に、能力交渉（ｃｐａｂｉｌｉｔｙ  ｎｅｇｏｔｉａｔｉｏｎ）過程を通じてＦＩＤとＱｏＳパラメータの割り当てを受けることができる。
【０１２５】
一例として、Ｍ２Ｍ端末１０は、基地局２０にＡＡＩ−ＲＥＧ−ＲＥＱメッセージを伝送して前記能力交渉を要請する（Ｓ９１０）。前記ＡＡＩ−ＲＥＧ−ＲＥＱメッセージを受信した基地局２０は、関連した能力交渉のために、Ｍ２Ｍサーバ３０にＲＥＧ−ＲＳＰメッセージを伝送する（Ｓ９１３）。前記Ｍ２Ｍサーバ３０は、関連した能力交渉を行い、ＲＥＧ−ＲＳＰメッセージを通じて、前記端末に割り当てるＭ２Ｍグループ識別子を、基地局２０に伝送する（Ｓ９１６）。前記基地局２０は、前記Ｍ２Ｍ端末１０にＡＡＩ−ＲＥＧ−ＲＳＰメッセージを伝送する（Ｓ７２０）。このとき、基地局２０は、ＡＡＩ−ＲＥＧ−ＲＳＰメッセージを通じて、前記Ｍ２Ｍ端末１０にＭ２Ｍグループ識別子、ＦＩＤ、及びＱｏＳパラメータを伝送することができる。図９には、前記Ｍ２Ｍ端末１０が、Ｍ２Ｍグループ識別子として“Ａ”を、ＦＩＤとして“Ｆ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐＩＤ）で表現してもよい。
【０１２６】
他の例として、前記能力交渉の過程は、ＡＡＩ−ＲＥＧ−ＲＥＱ／ＲＳＰメッセージの代わりに、ＡＡＩ−ＳＢＣ−ＲＥＱ／ＲＳＰメッセージを使用して行われてもよい。
【０１２７】
その後、前記Ｍ２Ｍ端末１０はアイドルモードに進入する。アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ９８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１２８】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局から、ダウンリンクマルチキャストトラフィックを受信する（Ｓ９９０）。マルチキャストトラフィックが伝送される時、それに対するＭＡＰ  ＩＥ（ｉｎｆｏｒｍａｔｉｏｎ  ｅｌｅｍｅｎｔ）が伝送され、マルチキャストトラフィックのＭＡＣヘッダーにはＦＩＤが含まれる。
【０１２９】
図１０は、本明細書の一実施例に係る端末がＦＩＤ及びＱｏＳパラメータの割り当てを受ける方法の第３実施例を示すフローチャートである。
【０１３０】
Ｍ２Ｍ端末１０は、初期ネットワーク進入（Ｉｎｉｔｉａｌ  ｎｅｔｗｏｒｋ  ｅｎｔｒｙ）過程の後に、動的サービス追加（ＤＳＡ）過程を通じてＦＩＤ及びＱｏＳパラメータの割り当てを受けることができる。
【０１３１】
まず、Ｍ２Ｍ端末１０は、基地局２０と初期ネットワーク進入過程を行う（Ｓ１０１０）。その後、基地局２０は、Ｍ２Ｍサーバ３０から、前記Ｍ２Ｍ端末１０に対するＭ２Ｍグループ識別子を受信する（Ｓ１０２０）。次に、基地局２０は、前記Ｍ２Ｍ端末１０とＤＳＡ過程を行う。前記ＤＳＡ過程を行うために、基地局２０は、前記Ｍ２Ｍ端末１０にＡＡＩ−ＤＳＡ−ＲＥＱメッセージを伝送し（Ｓ１０３０）、前記Ｍ２Ｍ端末１０は、基地局２０にＡＡＩ−ＤＳＡ−ＲＳＰメッセージを伝送する（Ｓ１０４０）。このとき、基地局２０は、ＡＡＩ−ＤＳＡ−ＲＥＱメッセージを通じて、Ｍ２Ｍ端末１０にＭ２Ｍグループ識別子、ＦＩＤ、及びＱｏＳパラメータを伝送することができる。前記Ｍ２Ｍ端末１０から正常なＡＡＩ−ＤＳＡ−ＲＳＰメッセージを受信した基地局２０は、Ｍ２Ｍサーバ３０にｃｏｎｆｉｒｍを伝送し（Ｓ１０５０）、前記端末にＡＡＩ−ＤＳＡ−ＡＣＫメッセージを伝送する（Ｓ１０６０）。図１０では、前記Ｍ２Ｍ端末１０が、Ｍ２Ｍグループ識別子として“Ａ”を、ＦＩＤとして“Ｆ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１３２】
その後、前記Ｍ２Ｍ端末１０はアイドルモードに進入する。アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ１０８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１３３】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ１０９０）。マルチキャストトラフィックが伝送される時、それに対するＭＡＰ  ＩＥ（ｉｎｆｏｒｍａｔｉｏｎ  ｅｌｅｍｅｎｔ）が伝送され、マルチキャストトラフィックのＭＡＣヘッダーにはＦＩＤが含まれる。
【０１３４】
図１１は、本明細書の一実施例に係る端末がＦＩＤ及びＱｏＳパラメータの割り当てを受ける方法の第４実施例を示すフローチャートである。
【０１３５】
Ｍ２Ｍ端末１０は、初期ネットワーク進入（Ｉｎｉｔｉａｌ  ｎｅｔｗｏｒｋ  ｅｎｔｒｙ）過程中に、登録（ｒｅｇｉｓｔｒａｔｉｏｎ）過程を通じてＭ２Ｍグループ識別子の割り当てを受け、初期ネットワーク進入過程の後に、動的サービス追加（ＤＳＡ）過程を通じてＦＩＤ及びＱｏＳパラメータの割り当てを受けることができる。
【０１３６】
まず、Ｍ２Ｍ端末１０は、基地局２０と初期ネットワーク進入過程を行う。このとき、Ｍ２Ｍ端末１０は、ＡＡＩ−ＲＥＧ−ＲＥＱメッセージを基地局２０に伝送する（Ｓ１１１０）。ＡＡＩ−ＲＥＧ−ＲＥＱメッセージを受信した基地局２０は、Ｍ２Ｍサーバ３０に、ＩＤ  Ｒｅｑｕｅｓｔメッセージを通じて、前記Ｍ２Ｍ端末１０に対するＭ２Ｍグループ識別子を要請する（Ｓ１１２０）。Ｍ２Ｍサーバ３０は、前記Ｍ２Ｍ端末１０に対するＭ２Ｍグループ識別子を割り当て、これを、ＩＤ  Ｒｅｓｐｏｎｓｅメッセージを通じて基地局２０に伝送する（Ｓ１１３０）。基地局２０は、ＡＡＩ−ＲＥＧ−ＲＳＰメッセージを通じて、前記Ｍ２Ｍグループ識別子を前記Ｍ２Ｍ端末１０に伝送する（Ｓ１１４０）。
【０１３７】
その後、基地局２０は、前記Ｍ２Ｍ端末１０とＤＳＡ過程を行う。前記ＤＳＡ過程を行うために、基地局２０は、前記Ｍ２Ｍ端末１０にＡＡＩ−ＤＳＡ−ＲＥＱメッセージを伝送し（Ｓ１１５０）、前記Ｍ２Ｍ端末１０は、基地局２０にＡＡＩ−ＤＳＡ−ＲＳＰメッセージを伝送する（Ｓ１１６０）。このとき、基地局２０は、ＡＡＩ−ＤＳＡ−ＲＥＱメッセージを通じて、前記Ｍ２Ｍ端末１０にＦＩＤ及びＱｏＳパラメータを割り当てることができる。前記Ｍ２Ｍ端末１０から正常なＡＡＩ−ＤＳＡ−ＲＳＰメッセージを受信した基地局２０は、前記端末にＡＡＩ−ＤＳＡ−ＡＣＫメッセージを伝送する（Ｓ１１７０）。図１１では、前記Ｍ２Ｍ端末１０が、Ｍ２Ｍグループ識別子として“Ａ”を、ＦＩＤとして“Ｆ”の割り当てを受ける場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１３８】
その後、前記Ｍ２Ｍ端末１０はアイドルモードに進入する。アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局から、マルチキャストトラフィック伝送と関連した制御情報を含むページング（広告）メッセージを受信する（Ｓ１１８０）。このとき、アイドルモードのＭ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。
【０１３９】
前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ１１９０）。マルチキャストトラフィックが伝送される時、それに対するＭＡＰ  ＩＥ（ｉｎｆｏｒｍａｔｉｏｎ  ｅｌｅｍｅｎｔ）が伝送され、マルチキャストトラフィックのＭＡＣヘッダーにはＦＩＤが含まれる。
【０１４０】
図１２は、本発明の他の実施例によってアイドルモードの端末がマルチキャストトラフィックを受信する方法を示すフローチャートである。
【０１４１】
基地局が端末にグループページング（Ｇｒｏｕｐ  ｐａｇｉｎｇ）をする場合、ページンググループのＩＤ（ＰＧＩＤ）を登録解除（ｄｅ−ｒｅｇｉｓｔｒａｔｉｏｎ）過程で割り当て、マルチキャストトラフィック伝送に関連するＩＤ（Ｍ２Ｍグループ識別子）は別途に割り当てる。すなわち、ページンググループの情報とＭ２Ｍグループ情報を異なるように構成し、それぞれ別々に利用することができる。
【０１４２】
図１２のＳ１２１０からＳ１２６０までの過程は、図１０で説明したＳ１０１０からＳ１０６０までの過程と同一である。但し、図１２では、前記Ｍ２Ｍ端末１０に、Ｍ２Ｍグループ識別子として“Ａ、Ｂ”が、ＦＩＤとして“Ｆ、Ｇ”がそれぞれ割り当てられる場合を示した。このとき、Ｍ２Ｍグループ識別子は、マルチキャストグループ識別子（ｍｕｌｔｉｃａｓｔ  ｇｒｏｕｐ  ＩＤ）またはグループ識別子（ｇｒｏｕｐ  ＩＤ）で表現してもよい。
【０１４３】
その後、前記Ｍ２Ｍ端末１０はアイドルモードに進入する。アイドルモードの進入のために、前記Ｍ２Ｍ端末１０は、前記基地局２０にＡＡＩ−ＤＲＥＧ−ＲＥＱメッセージを送信することができる（Ｓ１２７０）。前記ＡＡＩ−ＤＲＥＧ−ＲＥＱメッセージを受信した基地局２０は、ＡＡＩ−ＤＲＥＧ−ＲＳＰメッセージを伝送して登録解除を承認する（Ｓ１２７５）。このとき、基地局２０は、ＡＡＩ−ＤＲＥＧ−ＲＳＰメッセージを通じて、前記Ｍ２Ｍ端末１０にマルチキャストグループページングのための識別子（ＰＧＩＤ）を割り当てることができる。図１２には、前記Ｍ２Ｍ端末１０が、ＰＧＩＤとして、“Ｋ”の割り当てを受ける場合を示した。
【０１４４】
アイドルモードのＭ２Ｍ端末は、ページングリスニング区間（ｐａｇｉｎｇ  ｌｉｓｔｅｎｉｎｇ  ｉｎｔｅｒｖａｌ）の間に、基地局からページング（広告）メッセージを受信する（Ｓ１２８０）。端末が前記ページングメッセージを確認した結果、前記ページングが、ページンググループＫに対するグループページングであれば、端末は、どのＭ２Ｍグループに対するページングであるかを確認する。図１２では、Ａ、Ｂグループのうち、Ａグループに対するマルチキャスト伝送を指示する場合を示した。
【０１４５】
それに加えて、Ｍ２Ｍ端末１０は、前記制御情報が（ネットワーク再進入の過程なしに）マルチキャストトラフィックに対する受信を指示する場合（Ａｃｔｉｏｎ  ｃｏｄｅ＝０ｂ１０）、基地局から割り当てられたＭ２Ｍグループ識別子（“Ａ”）と、前記ページングメッセージを通じて受信した識別情報とが同一であるか否かを確認する。前記確認の結果、前記基地局から割り当てられたＭ２Ｍグループ識別子と、前記ページングメッセージを通じて受信した識別情報とが同一である場合、前記アイドルモードのＭ２Ｍ端末１０は、アイドルモードを終了せずに、基地局からダウンリンクマルチキャストトラフィックを受信する（Ｓ１２９０）。マルチキャストトラフィックが伝送される時、それに対するＭＡＰ  ＩＥ（ｉｎｆｏｒｍａｔｉｏｎ  ｅｌｅｍｅｎｔ）が伝送され、マルチキャストトラフィックのＭＡＣヘッダーにはＦＩＤが含まれる。
【０１４６】
グループページングは、Ｍ２Ｍグループ単位で行うことができる。すなわち、初期ネットワーク進入（ｉｎｉｔｉａｌ  ｎｅｔｗｏｒｋ  ｅｎｔｒｙ）過程で、端末が属したＭ２Ｍグループ識別子を割り当て、グループページング時に、前記割り当てられたＭ２Ｍグループ識別子を用いてページンググループを指示する。
【０１４７】
図１３は、本発明の更に他の実施例によってアイドルモードの端末がマルチキャストトラフィックを受信する方法を示すフローチャートである。
【０１４８】
図１３の過程は、図１２で説明した過程と同一である。但し、Ｍ２Ｍ端末１０は、初期ネットワーク進入（Ｉｎｉｔｉａｌ  ｎｅｔｗｏｒｋ  ｅｎｔｒｙ）過程中に、登録（ｒｅｇｉｓｔｒａｉｏｎ）過程を通じてＭ２Ｍグループ識別子の割り当てを受け、初期ネットワーク進入過程の後に、動的サービス追加（ＤＳＡ）過程を通じてＦＩＤ及びＱｏＳパラメータの割り当てを受ける。
【０１４９】
図１４は、本明細書の一実施例を適用できる無線接続システムでの端末と基地局の内部ブロック図を示す。
【０１５０】
Ｍ２Ｍ端末１０は、制御部１１、メモリ１２、及び無線通信（ＲＦ）部１３を含む。
【０１５１】
また、端末は、ディスプレイ部（ｄｉｓｐｌａｙ  ｕｎｉｔ）、ユーザインターフェース部（ｕｓｅｒ  ｉｎｔｅｒｆａｃｅ  ｕｎｉｔ）なども含むことができる。
【０１５２】
前記制御部１１は、提案された機能、過程及び／または方法を具現する。無線インターフェースプロトコルの層は制御部１１によって具現可能である。
【０１５３】
前記メモリ１２は、制御部１１と連結され、無線通信を行うためのプロトコルやパラメータを格納する。すなわち、端末駆動システム、アプリケーション、及び一般的なファイルを格納する。
【０１５４】
前記ＲＦ部１３は、制御部１１と連結され、無線信号を送信及び／または受信する。
【０１５５】
なお、前記ディスプレイ部は、端末の様々な情報をディスプレイし、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）などのよく知られた要素を使用することができる。前記ユーザインターフェース部は、キーパッドやタッチスクリーンなどのよく知られたユーザインターフェースの組み合わせからなることができる。
【０１５６】
基地局２０は、制御部２１、メモリ２２、及び無線通信（ＲＦ）部（ｒａｄｉｏ  ｆｒｅｑｕｅｎｃｙ  ｕｎｉｔ）２３を含む。
【０１５７】
前記制御部２１は、提案された機能、過程及び／または方法を具現する。無線インターフェースプロトコルの層は制御部２１によって具現可能である。
【０１５８】
前記メモリ２２は、制御部２１と連結され、無線通信を行うためのプロトコルやパラメータを格納する。
【０１５９】
前記ＲＦ部２３は、制御部２１と連結され、無線信号を送信及び／または受信する。
【０１６０】
前記制御部１１，２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。前記メモリ１２，２２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。前記ＲＦ部１３，２３は、無線信号を処理するためのベースバンド回路を含むことができる。実施例がソフトウェアで具現される場合、上述した技法は上述した機能を行うモジュール（過程、機能など）で具現可能である。モジュールは、メモリ１２，２２に格納され、前記制御部１１，２１によって実行可能である。
【０１６１】
前記メモリ１２，２２は、前記制御部１１，２１の内部または外部にあってもよく、よく知られた様々な手段により前記制御部１１，２１と連結されてもよい。
【図１】
2013544481.tif 000007
【図２】
2013544481.tif 000008
【図３】
2013544481.tif 000009
【図４】
2013544481.tif 000010
【図５】
2013544481.tif 000011
【図６】
2013544481.tif 000012
【図７】
2013544481.tif 000013
【図８】
2013544481.tif 000014
【図９】
2013544481.tif 000015
【図１０】
2013544481.tif 000016
【図１１】
2013544481.tif 000017
【図１２】
2013544481.tif 000018
【図１３】
2013544481.tif 000019
【図１４】
2013544481.tif 000020
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
機器間（Ｍ２Ｍ）通信を支援する無線接続システムでアイドルモードにおける端末によってマルチキャストトラフィックを受信する方法であって、前記方法は、
ページングメッセージを、ページングリスニング区間の間に基地局（ＢＳ）から受信することと、
前記受信されたページングメッセージに基づいて、アイドルモードを終了せずに、前記ＢＳから前記マルチキャストトラフィックを受信することと
を含み、
前記ページングメッセージは、前記マルチキャストトラフィックが伝送されるＭ２Ｍ機器を示す識別情報と、前記ＢＳとのネットワーク再進入のないマルチキャストトラフィックの受信を示す制御情報とをさらに含む、方法。
【請求項２】
前記ＢＳとのネットワーク進入過程を行うことをさらに含む、請求項１に記載の方法。
【請求項３】
前記ＢＳと、前記マルチキャストトラフィックに対するサービスフローを追加するための動的サービス追加（ＤＳＡ）過程を行うことをさらに含み、
前記ＤＳＡ過程を通じて、前記マルチキャストトラフィックに対して追加されるサービスフローに対して、Ｍ２Ｍグループ識別子が割り当てられる、請求項１に記載の方法。
【請求項４】
前記ＤＳＡ過程を通じて、フロー識別子（ＦＩＤ）及びサービス品質（ＱｏＳ）パラメータがさらに割り当てられる、請求項３に記載の方法。
【請求項５】
機器間（Ｍ２Ｍ）通信を支援する無線接続システムでアイドルモードにおける端末にマルチキャストトラフィックを伝送する方法であって、前記方法は、
前記端末のページングリスニング区間の間にページングメッセージを伝送することと、
前記伝送されたページングメッセージに基づいて、アイドルモードを終了しないままの前記端末に前記マルチキャストトラフィックを伝送することと
を含み、
前記ページングメッセージは、前記マルチキャストトラフィックが伝送されるＭ２Ｍ機器を示す識別情報と、前記ＢＳとのネットワーク再進入のないマルチキャストトラフィックの受信を示す制御情報とをさらに含む、方法。
【請求項６】
前記制御情報は、動作コードフィールドを含む、請求項１に記載の方法。
【請求項７】
機器間（Ｍ２Ｍ）通信を支援する無線接続システムのアイドルモードにおいてマルチキャストトラフィックを受信する端末であって、前記端末は、
無線（ＲＦ）信号を送受信するように構成されているＲＦ通信部と、
前記ＲＦ通信部と連結される制御部と
を含み、
前記制御部は、ページングメッセージを、ページングリスニング区間の間に基地局（ＢＳ）から受信するように前記ＲＦ通信部を制御し、前記受信されたページングメッセージに基づいて、アイドルモードを終了せずに、前記ＢＳから前記マルチキャストトラフィックを受信するように前記ＲＦ通信部を制御するように構成され、
前記ページングメッセージは、前記マルチキャストトラフィックが伝送されるＭ２Ｍ機器を示す識別情報と、前記ＢＳとのネットワーク再進入のないマルチキャストトラフィックの受信を示す制御情報とをさらに含む、端末。
【請求項８】
前記制御部は、前記ＢＳとネットワーク進入過程を行うように前記端末を制御するように構成される、請求項７に記載の端末。
【請求項９】
前記制御部は、前記ＢＳとの動的サービス追加（ＤＳＡ）過程を通じて追加されるサービスフローに対するＭ２Ｍグループ識別子を前記ＢＳから受信するように前記ＲＦ通信部を制御するように構成され、前記追加されるサービスフローは、マルチキャストトラフィックに対応する、請求項７に記載の端末。
【請求項１０】
前記制御部は、前記ＤＳＡ過程を通じてフロー識別子（ＦＩＤ）及びサービス品質（ＱｏＳ）パラメータを前記ＢＳから受信するように前記ＲＦ通信部を制御するように構成される、請求項９に記載の端末。
【請求項１１】
機器間（Ｍ２Ｍ）通信を支援する無線接続システムでアイドルモードにおける端末にマルチキャストトラフィックを伝送する装置であって、前記装置は、
無線（ＲＦ）信号を送受信するように構成されるＲＦ通信部と、
前記ＲＦ通信部と連結される制御部と
を含み、
前記制御部は、前記端末のページングリスニング区間の間にページングメッセージを伝送するように前記ＲＦ通信部を制御することと、前記伝送されたページングメッセージに基づいて、アイドルモードを終了しないままの前記端末に前記マルチキャストトラフィックを伝送するように前記ＲＦ通信部を制御することとを行うように構成され、
前記ページングメッセージは、前記マルチキャストトラフィックが伝送されるＭ２Ｍ機器を示す識別情報と、前記ＢＳとのネットワーク再進入のないマルチキャストトラフィックの受信を示す制御情報とをさらに含む、装置。
【請求項１２】
前記制御情報は、動作コードフィールドを含む、請求項７に記載の端末。
【手続補正２】
【補正対象書類名】明細書
【補正対象項目名】００４３
【補正方法】変更
【補正の内容】
【００４３】
前記制御情報は、動作コード（Ａｃｔｉｏｎ  Ｃｏｄｅ）フィールドであることを特徴とすることができる。
例えば、本願発明は以下の項目を提供する。
（項目１）
機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムでアイドルモード（ｉｄｌｅ  ｍｏｄｅ）の端末がマルチキャストトラフィック（ｍｕｌｔｉｃａｓｔ  ｔｒａｆｆｉｃ）を受信する方法において、
マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信することと、
前記受信された制御情報に基づいて、アイドルモードを終了せずに、前記基地局からマルチキャストトラフィックを受信することを含み、
前記ページングメッセージは、
前記マルチキャストトラフィックが伝送されるＭ２Ｍグループを示す識別情報をさらに含むことを特徴とする、方法。
（項目２）
前記基地局とネットワーク進入（ｎｅｔｗｏｒｋ  ｅｎｔｒｙ）過程を行うことをさらに含むことを特徴とする、項目１に記載の方法。
（項目３）
前記基地局と、マルチキャストトラフィックに対するサービスフロー（ｓｅｒｖｉｃｅ  ｆｌｏｗ）を追加するための動的サービス追加（ｄｙｎａｍｉｃ  ｓｅｒｖｉｃｅ  ａｄｄｉｔｉｏｎ；ＤＳＡ）過程を行うことをさらに含み、
前記動的サービス追加過程を通じて、前記追加されるマルチキャストトラフィックに該当するサービスフローに対するＭ２Ｍグループ識別子が割り当てられることを特徴とする、項目２に記載の方法。
（項目４）
前記動的サービス追加過程を通じて、
フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、項目３に記載の方法。
（項目５）
前記基地局とネットワーク進入（ｎｅｔｗｏｒｋ  ｅｎｔｒｙ）過程を行うことは、
前記基地局と能力交渉（ｃａｐａｂｉｔｉｔｙ  ｎｅｇｏｃｉａｔｉｏｎ）過程を行うことをさらに含み、
前記能力交渉過程を通じて、前記追加されるマルチキャストトラフィックに該当するサービスフローに対するＭ２Ｍグループ識別子が割り当てられることを特徴とする、項目２に記載の方法。
（項目６）
前記能力交渉過程を通じて、
フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、項目５に記載の方法。
（項目７）
前記基地局とネットワーク進入（ｎｅｔｗｏｒｋ  ｅｎｔｒｙ）過程を行うことは、
前記基地局と登録（ｒｅｇｉｓｔｒａｔｉｏｎ）過程を行うことをさらに含み、
前記登録過程を通じて、前記追加されるマルチキャストトラフィックに該当するサービスフローに対するＭ２Ｍグループ識別子が割り当てられることを特徴とする、項目２に記載の方法。
（項目８）
前記基地局と、マルチキャストトラフィックに対するサービスフロー（ｓｅｒｖｉｃｅ  ｆｌｏｗ）を追加するための動的サービス追加（ｄｙｎａｍｉｃ  ｓｅｒｖｉｃｅ  ａｄｄｉｔｉｏｎ；ＤＳＡ）過程を行うことをさらに含み、
前記動的サービス追加過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、項目７に記載の方法。
（項目９）
前記基地局と、登録解除（ｄｅ−ｒｅｇｉｓｔｒａｔｉｏｎ）過程を行うことをさらに含み、
前記登録解除過程を通じて、前記追加されるマルチキャストトラフィックに該当するサービスフローに対するＭ２Ｍグループ識別子が割り当てられることを特徴とする、項目１に記載の方法。
（項目１０）
前記登録解除過程を通じて、フロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータがさらに割り当てられることを含むことを特徴とする、項目９に記載の方法。
（項目１１）
前記ページングメッセージは、前記基地局とのネットワーク再進入（ｎｅｔｗｏｒｋ  ｒｅ−ｅｎｔｒｙ）のないマルチキャストトラフィック受信を指示することを特徴とする、項目１に記載の方法。
（項目１２）
前記制御情報は、
動作コード（Ａｃｔｉｏｎ  Ｃｏｄｅ）フィールドであることを特徴とする、項目１に記載の方法。
（項目１３）
機器間通信（Ｍａｃｈｉｎｅ−ｔｏ−Ｍａｃｈｉｎｅ  Ｃｏｍｍｕｎｉｃａｔｉｏｎ；Ｍ２Ｍ）を支援する無線接続システムのアイドルモード（ｉｄｌｅ  ｍｏｄｅ）でマルチキャスト（ｍｕｌｔｉｃａｓｔ）トラフィックを受信するための端末において、
外部と無線信号を送受信するための無線（ＲＦ）通信部と、
前記無線通信部と連結される制御部と、を含み、
前記制御部は、マルチキャストトラフィック受信を指示する制御情報を含むページングメッセージを、ページングリスニング区間（ｐａｇｉｎｇ  ｌｉｓｔｅｎｉｎｇ  ｉｎｔｅｒｖａｌ）の間に基地局から受信するように前記無線通信部を制御し、アイドルモードを終了せずに、前記基地局からマルチキャストトラフィックを受信するように前記無線通信部を制御し、
前記ページングメッセージは、前記マルチキャストトラフィックが伝送されるＭ２Ｍグループを示す識別情報をさらに含むことを特徴とする、端末。
（項目１４）
前記制御部は、
前記基地局とネットワーク進入（ｎｅｔｗｏｒｋ  ｅｎｔｒｙ）過程を行うように制御することを特徴とする、項目１３に記載の端末。
（項目１５）
前記制御部は、
前記基地局との動的サービス追加（ｄｙｎａｍｉｃ  ｓｅｒｖｉｃｅ  ａｄｄｉｔｉｏｎ；ＤＳＡ）過程を通じて追加されるサービスフロー（ｓｅｒｖｉｃｅ  ｆｌｏｗ）に対するＭ２Ｍグループ識別子を前記基地局から受信するように前記無線通信部を制御し、
前記追加されるサービスフローは、マルチキャストトラフィックに該当するサービスフローであることを特徴とする、項目１３に記載の端末。
（項目１６）
前記制御部は、
前記動的サービス追加過程を通じてフロー識別子（ｆｌｏｗ  Ｉｄｅｎｔｉｆｉｅｒ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、項目１５に記載の端末。
（項目１７）
前記制御部は、
前記基地局との能力交渉過程を通じてマルチキャストトラフィックに該当するサービスフローに対するＭ２Ｍグループ識別子を前記基地局から受信するように前記無線通信部を制御することを特徴とする、項目１４に記載の端末。
（項目１８）
前記制御部は、
前記能力交渉過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、項目１３に記載の端末。
（項目１９）
前記制御部は、
前記基地局との登録過程を通じてマルチキャストトラフィックに該当するサービスフローに対するＭ２Ｍグループ識別子を前記基地局から受信するように前記無線通信部を制御することを特徴とする、項目１４に記載の端末。
（項目２０）
前記制御部は、
前記基地局との動的サービス追加（ｄｙｎａｍｉｃ  ｓｅｒｖｉｃｅ  ａｄｄｉｔｉｏｎ；ＤＳＡ）過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、項目１９に記載の端末。
（項目２１）
前記制御部は、
前記基地局との登録解除（ｄｅ−ｒｅｇｉｓｔｒａｔｉｏｎ）過程を通じてマルチキャストトラフィックに該当するサービスフローに対するＭ２Ｍグループ識別子を前記基地局から受信するように前記無線通信部を制御することを特徴とする、項目１３に記載の端末。
（項目２２）
前記制御部は、
前記登録解除過程を通じてフロー識別子（ｆｌｏｗ  ＩＤ：ＦＩＤ）及びサービス品質（ｑｕａｌｉｔｙ  ｏｆ  ｓｅｒｖｉｃｅ：ＱｏＳ）パラメータを前記基地局から受信するように前記無線通信部を制御することを特徴とする、項目２１に記載の端末。
（項目２３）
前記ページングメッセージは、前記基地局とのネットワーク再進入（ｎｅｔｗｏｒｋ  ｒｅ−ｅｎｔｒｙ）のないマルチキャストトラフィック受信を指示することを特徴とする、項目１３に記載の端末。
（項目２４）
前記制御情報は、
動作コード（Ａｃｔｉｏｎ  Ｃｏｄｅ）フィールドであることを特徴とする、項目１３に記載の端末。
【国際調査報告】
2013544481.tif 000021
2013544481.tif 000022
2013544481.tif 000023
2013544481.tif 000024
2013544481.tif 000025
2013544481.tif 000026